(57)【特許請求の範囲】
【請求項１】
ピストン（２）を嵌装した注射筒（４）の先端に注射針（５）を備えた注射具（１）における上記注射針（５）の全長より短い長さの小径筒部（１２）及び前記注射筒（４）を嵌装する内径に作られている大径筒部（１４）を有する保護筒体（１１）を備え、前記大径筒部（１４）内に挿入された前記注射筒（４）を保持する突起（１９）を、当該突起（１９）に前記注射筒（４）が当ったときに前記注射針（５）の先端が前記小径筒部（１２）の内端部から離れた状態にある位置において前記大径筒部（１４）の内周面に備え、前記突起（１９）を越えて前記注射筒（４）を前記大径筒部（１４）内にさらに移動したとき、前記注射針（５）の先端が当って曲げられる変形手段（１７）を、前記小径筒部（１２）の内端部に備えると共に、前記突起（１９）によって前記注射筒（４）を圧接し保持する構成であることを特徴とする注射針の廃棄処理具。
【発明の詳細な説明】
【０００１】
【発明の属する技術分野】
本発明は使用済み注射具を注射針を再使用不能な状態とし、且つ医療現場および回収処分現場での関係者が安全に取り扱える状態として廃棄させる注射針の廃棄処理具に関するものである。
【０００２】
【従来の技術】
医療のために使用した注射具は、注射針に付着した被療者の細菌、ウイルスなどが次の被療者に感染するのを防止するため、注射具全体または注射針を使い捨てとすることが行われている。この場合、使用直後から焼却などによる処分完了までの間に関係者が指先などを注射針で傷付け感染を受けることがないように、使用直後の注射具の注射針を手で直接触れることなく注射筒から分離して容器に収容し、処分完了まで安全な状態で取り扱うことができるようにした分離機構付き容器が提案されている（特開平１−５２４８０号公報、特開平１−１３６６６５号公報参照）。
【０００３】
【発明が解決しようとする課題】
前述の分離機構付き容器は、容器口部に注射針を差し込んで針基を引掛ける部分を有し、針基を引掛けて注射筒を引っ張ることにより注射針を分離してそのまま容器内に収容する構成であり、関係者にとって安全性が高いとされている。
【０００４】
しかしながら、分離した注射針は多数本が容器に収容された状態で医療現場、回収品置き場、処分場などでかなり長い時間放置されて運搬、焼却などを待つのが普通であり、その間に不法業者が回収して再利用したり、麻薬中毒患者が収得して使用したりする、という不測の事態が発生するのを完全に防止することができず、関係者以外の人への大量感染の危険がある。
【０００５】
【課題を解決するための手段】
本発明は上記に鑑みてなされたもので、ピストンを嵌装した注射筒の先端に注射針を備えた注射具における上記注射針の全長より短い長さの小径筒部及び前記注射筒を嵌装する内径に作られている大径筒部を有する保護筒体を備え、前記大径筒部内に挿入された前記注射筒を保持する突起を、当該突起に前記注射筒が当ったときに前記注射針の先端が前記小径筒部の内端部から離れた状態にある位置において前記大径筒部の内周面に備え、前記突起を越えて前記注射筒を前記大径筒部内にさらに移動したとき、前記注射針の先端が当って曲げられる変形手段を、前記小径筒部の内端部に備えると共に、前記突起によって前記注射筒を圧接し保持する構成であることを特徴とするものである。
【０００８】
【発明の実施の形態】
本発明の好ましい実施の形態を図面を参照して以下に説明する。
【０００９】
図１の（Ａ）、（Ｂ）、（Ｃ）、（Ｄ）は第１の実施形態に係る廃棄処理具およびこれが適用される注射具と、その操作手順とを説明する図である。
【００１０】
注射具１は図１の（Ａ）に示すように、ピストン２を嵌装した注射筒４と、その先端に嵌め込み結合した注射針５とからなる周知のものであり、ピストン２およびピストン杆３と注射筒４とがガラス製であって繰り返し使用されるもの、或いはこれらがガラス製または合成樹脂製であって所定量の薬液が予め封入されていて一回の使用で使い捨てされるもの（特開昭５８−１９２６７号公報参照）であるが、所定の薬液を封入しピストンを装備したカートリッジを注射針が結合される筒状ホルダに嵌装してなり一回の使用で使い捨てされるもの（実開平２−５５９５８号公報参照）についても本発明が適用される。
【００１１】
図１の（Ｂ）に示した廃棄処理具は、ポリエチレン、ポリプロピレン、ポリスチレンなどの汎用熱可塑製合成樹脂により作られた保護筒体１１と、ポリカーボネートのような高硬質の合成樹脂または金属で作られた硬質部片１８との二部品によって形成されている。
【００１２】
保護筒体１１は針基６を含めて注射針５の全長よりも短い長さの小径筒部１２と、その基端に中心軸線に対し直角の段部１３を経て一体成形され注射筒４の先端部分を嵌装する長さの大径筒部１４と、更にその基端に一体成形され円錐状に拡がるラッパ状の受入口１５とからなるものである。小径筒部１２は針基６のフランジ７をほぼ隙間なく嵌込む内径に作られており、この先端壁１６に重ねて円板状の硬質部片１８が嵌込まれ変形手段１７を形成している。大径筒部１４は注射筒４を緩く嵌装する内径に作られているとともに、中間部分の内側周面に山径が注射筒４よりも少し小径の環状の突起１９が設けられ保持手段２０を形成している。
【００１３】
注射具１を使用したとき、そのまま注射針５を受入口１５から大径筒部１４を経て小径筒部１２に挿入すると、注射筒４の先端面が突起１９に衝ったとき大きな抵抗を受けて一旦停止し、このとき図１の（Ｃ）に示すように注射針５の先端は硬質部片１８から離れている。
【００１４】
次に、強い力を加えて押し込むと注射筒４は突起１９を越えて移動し、大径筒部１４が押し拡げられてその弾性復元力で突起１９が注射筒４の外側周面に圧接する。注射針５は硬質部片１８に接近し、次に突き当たって先端が曲げられ、更に押し込むことによって次第に大きく且つ不規則に曲げられて注射筒４の先端面が段部１３に当たって停止したとき、図１の（Ｄ）に示すような状態となる。
【００１５】
注射筒４は突起１９が圧接して保護筒体１１から抜け出されにくくなっているので、そのまま廃棄して焼却処分する。不当に再使用しようとする人が引き抜いても、注射針５が曲げられて変形屈曲しているので使用不能であることが一見して判り、不当使用による付着細菌、ウイルスなどの感染が防止されることとなる。
【００１６】
図２の（Ａ）、（Ｂ）、（Ｃ）は第２の実施形態に係る廃棄処理具とその操作手順とを説明する図である。
【００１７】
図２の（Ａ）に示した廃棄処理具は、熱可塑性合成樹脂の内で高硬質のポリカーボネートによって作られた保護筒体１１に変形手段１７と保持手段２０と固定手段２３とを一体成形により設けてなる一部品によって形成されている。
【００１８】
この保護筒体１１は図１に示した保護筒体１１とほぼ同寸法の小径筒部１２、大径筒部１４、受入口１５からなり、小径筒部１２から大径筒部１４へは円錐状の傾斜部２１を経て移行する。先端壁１６は厚肉とされたうえに円錐状の突出部２２を小径筒部１２内へ向けて有していて変形手段１７を形成しているとともに、大径筒部１４には図１のものと同様の環状の突起１９からなる保持手段２０が形成されており、更に傾斜部２１の内側周面には注射針の針基の外側周面よりも少し小径の二つの環状の突起２４が設けられて固定手段２３を形成している。
【００１９】
図１の（Ａ）に示したものと同じ注射具１を使用したとき、そのまま注射針５を受入口１５から大径筒部１４を経て小径筒部１２に挿入すると、注射筒４の先端面が突起１９に衝って一旦停止し、このとき図２の（Ｂ）に示すように注射針５の先端は突出部２２から離れている。
【００２０】
次に、強い力を加えて押し込むと注射筒４は突起１９を越えて移動し、大径筒部１４が押し拡げられてその弾性復元力で突起１９が注射筒４の外側周面に圧接する。注射針５は突出部２２に接近し、次に先端が円錐面に誘導されてその基端において先端壁１６に突き当てられることによって湾曲状態となり、更に押し込むことによって次第に大きく且つ不規則に曲げられ、針基６が傾斜部２１の突起２４に圧入し注射筒４の先端が傾斜部２１に当たって停止したとき、図２の（Ｃ）に示すような状態となる。
【００２１】
注射筒４は突起１９が圧接して保護筒体１１から抜け出されにくくなっているので、そのまま廃棄して焼却処分する。不当に再使用しようとする人が引き抜くと、注射針５は先端が先端壁１６に突き刺さっているとともに針基６に圧接した突起２４が抜け止めとして働くため注射筒４が分離して引き抜かれ、注射針５は保護筒体１１の内部に固定されたまま残る。また、注射針５が万一引き抜かれても変形屈曲しているため使用不能である。そして、図２のものは図１のものと比べて注射針５が引く抜かれにくく、不当使用による付着細菌、ウイルスなどの感染が更に有効に防止されることとなる。
【００２２】
図３の（Ａ）、（Ｂ）、（Ｃ）、（Ｄ）は第３の実施形態に係る廃棄処理具およびこれが適用される注射具と、その操作手順とを説明する図である。
【００２３】
注射具１は図３の（Ａ）に示すようにピストン２を嵌装した注射筒４とその先端にねじ結合した注射針５とからなり、一般にロックシリンジと呼ばれていて図１の（Ａ）に示したものと同様に周知のものであるが、注射針５は本発明を実施するために、特に針基６の雌ねじ筒８の先端の中心を挟んだ対称位置に注射筒４の外側周面とほぼ等しい高さの係合突起９を設けたものが準備される。
【００２４】
図３の（Ｂ）に示した廃棄処理具は、図１の（Ｂ）に示したものと同様の保護筒体１１と硬質部片１８との二部品によって形成されている。
【００２５】
保護筒体１１は図１の（Ｂ）に示したものとほぼ同寸法の小径筒部１２、直角段部１３、大径筒部１４、受入口１５からなり、小径筒部１２にはその先端壁１６に重ねて円錐状のくぼみ２６を有する硬質部片１８が嵌込まれて変形手段１７を形成しているとともに、大径筒部１４には図１のものと同様の環状の突起１９からなる保持手段２０が形成されている。更に、突起１９と段部１３との間にはねじ山が突起１９とほぼ等しい高さであって位相を１８０度ずらした二条の雌ねじ２８からなる螺旋誘導手段２７が設けられている。
【００２６】
図３の（Ａ）に示した注射具１を使用したとき、そのまま注射針５を受入口１５から大径筒部１４を経て小径筒部１２に挿入すると、係合突起９が突起１９に衝って一旦停止し、このとき図３の（Ｃ）に示すように注射針５の先端は硬質部片１８から離れている。
【００２７】
次に、強い力を加えて押し込みながら回転させると、雌ねじ２８に係合突起９が係合し、続いて注射筒４が突起１９を乗り越えて移動するようになり、注射針５は回転しながら硬質部片１８に接近し、先端がくぼみ２６の底に突き当てられた後は次第に大きく且つ不規則に曲げられ、係合突起９が段部１３に当たって停止したとき、図３の（Ｄ）に示すような状態となる。
【００２８】
注射筒４は突起１９に加えて雌ねじ２８が圧接することによって図１、図２のものよりも抜け出されにくくなっているので、そのまま廃棄して焼却処分する。そして、係合突起９と雌ねじ２８とは図２に示した針基６と突起２４とからなるものよりも更に注射針５を引き抜かれにくくするが、不正に使用しようとする人が無理に引き抜いても注射針５が変形屈曲しているため使用不能である。
【００２９】
図４の（Ａ）、（Ｂ）、（Ｃ）は第１の参考例に係る廃棄処理具とその操作手順とを説明する図である。
【００３０】
図４の（Ａ）に示した廃棄処理具は、図１、図３に示したものと同様の合成樹脂で作られた保護筒体１１と硬質部片１８との二部品によって形成されていて、図１の（Ａ）に示したものと同じ注射具に適用される。
【００３１】
保護筒体１１は針基のフランジをほぼ隙間なく嵌込む内径を有している小径筒部１２と、その基端に直角の段部１３を経て一体成形され注射筒の先端部を緩く嵌装する大径筒部１４と、小径筒部１２の先端部内側周面に形成した大径孔部３０に基端のフランジ３１を嵌装して軸線方向へ滑動可能に小径筒部１２に結合するとともにその前方へ突出させた突き当て筒部３２とからなるものである。突き当て筒部３２を小径筒部１２から最大限に前方へ突出させたとき、その合計長は注射針の針基を含む全長よりも大きい。そして、突き当て筒部３２の先端を閉鎖した壁３３に重ねて円板状の硬質部片１８が嵌込まれて変形手段１７を形成しており、また大径筒部１４には、図１、図２、図３のものと同様の環状の突起１９からなる保持手段２０が形成されている。
【００３２】
図１の（Ａ）に示したものと同じ注射具１を使用したとき、そのまま注射針５を大径筒部１４から小径筒部１２に挿入すると、注射筒４は突起１９を乗り越えて先端面が段部１３に当たるまで大径筒部１４に嵌込まれ、突き当て筒部３２を最大限に前方へ突出させておくことにより、注射針５の先端は図４の（Ｂ）に示すように硬質部片１８から離れている。
【００３３】
次に、注射筒４を段部１３に押し当てた状態で突き当て筒部３２を小径筒部１２に没入させる方向へ強い力で押すと、硬質部片１８が注射針５の先端を押して次第に大きく不規則に曲げられて、最も深く没入させたとき図４の（Ｃ）に示すような状態となる。
【００３４】
注射筒４は突起１９が圧接して保護筒体１１から抜け出されにくくなっているので、そのまま廃棄して焼却処分する。不当に再使用しようとする人が引き抜いても、注射針５が曲げられて変形屈曲しているので使用不能であることが一見して判り、不当使用による付着細菌、ウイルスなどの感染が防止されることは図１のものと同じである。
【００３５】
図５の（Ａ）、（Ｂ）は第２の参考例に係る廃棄処理具とその操作手順とを説明する図である。
【００３６】
図５の（Ａ）に示した廃棄処理具は、図４のものと比べて小径筒部１２の先端部に形成した雌ねじ３５に突き当て筒部３２に形成した雄ねじ３６を螺装して軸線方向可動にねじ結合した点、および突き当て筒部３２の先端を閉塞した壁３３を厚肉として球状のくぼみ３７を設けることによって変形手段１７を形成した点が相違しているほかは全く同じである。尚、これらの突き当て筒部３２はポリカーボネートのような高硬度の合成樹脂または金属で作られる。
【００３７】
そして、注射針の針基を含む全長よりも長くなるように突き当て筒部３２を小径筒部１２の前方へ突出させて、図１の（Ａ）に示したのと同じ注射具１をそのまま大径筒部１４から挿入し、注射筒４の先端面を段部１３に押し当てた状態で押し当て筒部３２を小径筒部１２にねじ込むものである。注射針５は先端がくぼみ３７の底に当たって曲げられるようになり、次第に大きく且つ不規則に曲げられて最も深くねじ込んだとき図５の（Ｂ）に示すような状態となる。
【００３８】
注射筒４は突起１９が圧接して保護筒体１１から抜け出されにくくなっていること、引き抜いても注射針５が屈曲していて使用不能であることは図４に示したものと同じであるが、ねじによって回転しながら突き当て筒部３２を強制的に小径筒部１２に没入させるので、注射針５を容易且つ確実に曲げることができる、という利点がある。
【００３９】
図６の（Ａ）、（Ｂ）、（Ｃ）は第３の参考例に係る廃棄処理具とその操作手順とを説明する図である。
【００４０】
図６の（Ａ）に示した廃棄処理具は、前記各図に示したものと同様の合成樹脂で作られた保護筒体１１と針先の挿通孔４１およびつまみ４２を有する軸片４３との二部品によって形成されている。
【００４１】
保護筒体１１は針基を含む注射針の全長よりも少し短い長さであって針基を嵌入できる内径を有しているとともに先端を壁１６によって閉塞した小径筒部１２と、その基端に直角の段部１３を経て一体成形され注射筒の先端部を緩く嵌装する大径筒部１４とからなるものである。
【００４２】
軸片４３は小径筒部１２の先端部にその中心軸線と直交させて貫通し回転可能に支持されており、挿通孔４１は小径筒部１２の中心軸線上に位置しているとともに、つまみ４２は軸片４３の突出端に設けられている。
【００４３】
図１の（Ａ）に示したものと同じ注射具１を使用したとき、挿通孔４１を小径筒部１２の中心軸線方向へ向けて注射針５を大径筒部１４から小径筒部１２へ先端壁１６に当たるまで挿入する。このとき、図６の（Ｂ）に示すように注射針５の先端部は挿通孔４１に挿通され、注射筒４の先端部は大径筒部１４に嵌込まれ、このため注射具１は僅かながたつきで保護筒体１１に嵌込まれた状態となる。
【００４４】
次に、つまみ４２を持って適宜角度、一般には９０度乃至１８０度の範囲で軸片４３を回転させると、挿通孔４１に挿通されている針先が９０度以上曲げられ宇、図６の（Ｃ）に示すように注射針５が軸片４３に引掛けられた状態となる。
【００４５】
そして、注射筒４を基端方向へ引っ張ると針基６から抜け出して注射針５から容易に分離されるので、保護筒体１１に包まれて軸片４３に係止している注射針５と注射筒４とを別個に廃棄するか、または注射筒４を繰り返し使用するものである。
【００４６】
挿通孔４１を有する軸片４３は、針先の変形手段と変形させた注射針５を保護筒体１１に包み込んでおく保持手段とを兼ねた兼用手段４０であることが前記の説明で理解される。
【００４７】
また、不当に再使用しようとする人がつまみ４２を逆回転して注射針５をとり出しても、一旦大きく曲げられた針先は復元不可能であるので使用することができない。
【００４８】
以上、特許請求の範囲に記載した各請求項の発明について好ましい実施の形態を説明したが、保護筒体１１を持った指を傷付ける心配なく使用済み注射針５を保護筒体１１へ挿入させる受入口１５は図４、図５、図６に示したもののようになくてもよいが、これらのものにも設けることを妨げない。また、小径筒部１１の先端壁１６に設ける変形手段１７は注射針５の少なくとも針先を使用不可能に曲げ変形させるものであることから、先端壁１６自身またはこれに重ねた硬質部片１８の材質、形状を図示のものに限定されることなく任意に選定できる。更に、例えば図４および図５に示した保護筒体１１の突き当て筒部３２を小径筒部１２に内嵌する代わりに外嵌する、などの設計変更ができることも勿論である。
【００４９】
尚、注射針５は一般に注射筒４と別体に保管され、使用直前に結合するものであるから、本発明の保護筒体１１を注射針５と抱き合わせるかまたは注射針５の包装に使用することによって容易に医療関係者に供給することができる。
【００５０】
【発明の効果】
以上の説明から理解されるように、本発明によると、使用済みの注射針に直接手を触れたり指先を傷付けたりする心配なく安全に処理できるばかりか、不当な再使用ができないため付着細菌、ウイルスなどが関係者以外の人に感染する危険がなくなり、きわめて安全性が高いものである。
【図面の簡単な説明】
【図１】（Ａ）は本発明に適用される注射具の正面図、（Ｂ）は本発明の第一の実施形態の縦断面図、（Ｃ）および（Ｄ）は操作手順を説明する縦断面図。
【図２】（Ａ）は本発明の第二の実施形態の縦断面図、（Ｂ）および（Ｃ）は操作手順を説明する縦断面図。
【図３】（Ａ）は本発明に適用される注射具の正面図、（Ｂ）は本発明の第三の実施形態の縦断面図、（Ｃ）および（Ｄ）は操作手順を説明する縦断面図。
【図４】（Ａ）は本発明の第１参考例の縦断面図、（Ｂ）および（Ｃ）は操作手順を説明する縦断面図。
【図５】（Ａ）は本発明の第２参考例の縦断面図、（Ｂ）および（Ｃ）は操作手順を説明する縦断面図。
【図６】（Ａ）は本発明の第３参考例の縦断面図、（Ｂ）および（Ｃ）は操作手順を説明する縦断面図。
【符号の説明】
１１  保護筒体、１２  小径筒部、１３  段部、１４  大径筒部、１５  受入口、１６  先端壁、１７  変形手段、１８  硬質部片、１９  突起、２０  保持手段、２３  固定手段、２４  突起、２７  螺旋誘導手段、３２  突き当て筒部、４０  兼用手段、４１  挿通孔、４３  軸片、
【図１】
0003594704.tif 000002
【図２】
0003594704.tif 000003
【図３】
0003594704.tif 000004
【図４】
0003594704.tif 000005
【図５】
0003594704.tif 000006
【図６】
0003594704.tif 000007